Podtech/llm-jp-corpus-v4-ja_patent huggingface dataset:
(57)【要約】【課題】  本考案は地下に埋設された通信用鋼管の肉厚をマンホール内から遠隔操作にて超音波測定器で計測する。【解決手段】本考案は伸縮機能を持つ外筒３の先端に取り付けられたヘッド１において、内軸４の回転運動が変換治具Ａ７を軸方向に移動させ、軸方向に変位を拘束された変換治具Ｂ６が半径方向に移動して、変換治具Ｂ６に取り付けられた探傷子２が地下管路１０の内壁に接触し、超音波計測器による厚さ計測が可能となる。【選択図】図２
0003128917.tif 000002
【実用新案登録請求の範囲】
【請求項１】
超音波探触子が装着されたヘッドと回転運動を伝達する内軸、更には伸縮可能な保持用外筒および超音波計測器から構成され、地下に埋設された鋼製管内を移動して、遠隔操作により目的箇所で内軸の回転運動を軸方向運動に変換し、次に半径方向に移動させ探触子を鋼管内壁に接触させて、鋼管の厚さを超音波により計測されることを特徴とする管路肉厚計測装置
【考案の詳細な説明】
【技術分野】
【０００１】  この考案は主として地下に埋設された通信用鋼管の肉厚を超音波計測計により計測する装置に関するものである。
【背景技術】
【０００２】  地下に埋設された通信用鋼管の肉厚計測する方法として、超音波探触子を人間が保持してマンホールダクト口より挿入して管内壁に接触させ、超音波計測器により管肉厚を計測していた。
【考案の開示】
【考案が解決しようとする課題】
【０００３】  しかし、上記計測方法ではマンホールダクト口より高々１ｍ程度しか挿入することができず、従来から劣化が発生する可能性が高いと言われているダクト口から１０ｍの区間まで調査したいと需要に対応できなかった。
【課題を解決するための手段】
【０００４】  この考案は、超音波探触子が装着されたヘッドと回転運動を伝達する内軸、更には伸縮可能な保持用外筒および超音波計測器から構成され、地下に埋設された鋼製管路内を移動して、遠隔操作により目的箇所で内軸の回転運動を軸方向運動に変換し、次に探触子を半径方向に移動させて鋼管内壁に接触させ、鋼管の厚さを超音波により計測するものである。
【考案の効果】
【０００５】  マンホール内に搬入するまでは全長２．０ｍ程度の長さで持ち運びに支障とならず、マンホール内でダクト口よりヘッド部を挿入し、測定する箇所まで外筒を伸張させ、内軸を継ぎ足して移動させ、坑口で内軸を回転させることで超音波探触子が鋼管内壁に接触し、超音波計測器で当該箇所の肉厚が計測できる。
【考案を実施するための最良の形態】
【０００６】  マンホール内で所定の場所までヘッド部を移動させ、内軸を回転すると軸方向に運動が伝達され、更に変換治具によりヘッド部に取り付けられた探傷子が半径方向に移動し、鋼管の内壁に接触し超音波探傷子による厚さ計測が可能な状態となり、マンホール内で計測器による計測が可能となる。
【実施例】
【０００７】  図１はこの考案に係わる鋼管肉厚計測装置の使用状況を示す概略図、図２は同測定装置の先端部のヘッドの構造例であり、１はヘッド部、２は超音波探傷子、３は外筒、４は内軸、６は変換冶具Ｂ、７は変換冶具Ａ、８はバネＣ、９はバネＤ、１０は地下管路である。【０００８】    図２において、通常バネＤ９は伸張状態で、変換冶具Ｂ６はバネＣ８で中心軸方向に引き寄せられている。計測場所にヘッド部１が移動させられた後、内軸４が回転されて変換冶具Ａ７が手前に移動することにより、軸方向に変位を規制されている変換冶具Ｂ６が半径方向に伸びるように移動する。変換冶具Ｂ６に取り付けられた超音波探傷子２が地下管路１０内壁に接触することとなり、超音波により鋼管の肉厚が計測され、超音波計測計５に記録されることになる。内軸４を反対方向に回転しバネＤ９の復元力により手前反対方向に変換冶具Ａ７が移動することにより、バネＣ８の復元力により変換冶具Ｂ６が中心方向に移動して、超音波探傷子２が鋼管内壁から離れることになる。【０００９】  図３において、外筒３および内軸４の伸張構造の一例を示す。外筒３の先端はヘッド１に固定されていて通常は収納状態にあり、マンホール内で必要に応じて繰り出される。最大限に繰り出されればネジ等で固定され、更に外側が繰り出されることを特徴とする。内軸は端部が引っ掛けによる連結ができる構造であり、回転力が相互に伝達できるようになっていることを特徴とする。
【図面の簡単な説明】
【００１０】
【図１】この考案に係わる鋼管肉厚測定装置の使用事例図である。
【図２】同上測定装置の先端部の構造例図である。
【図３】同上測定装置の伸張構造例である。
【符号の説明】
【００１１】１ヘッド
２超音波探傷子
３外筒
４内軸
５超音波計測計
６変換冶具Ｂ
７変換冶具Ａ
８バネＣ
９バネＤ
１０地下管路
【図１】
0003128917.tif 000003
【図２】
0003128917.tif 000004
【図３】
0003128917.tif 000005
(57)【要約】【課題】  生花や保存花の表面を蓄光剤入りスプレーにてコーティングすることにより、昼間や蛍光灯等の下では花そのものを見て楽しむことができると共に、夜間電燈を消した後は、蓄光剤が発光し、幻想的な生花（保存花）を表現できるもので、昼と夜２度楽しむことができると共に、水分の蒸発を抑えることにより生花を長持ちさせることができ、保存花においては花を傷めることなく飾ることができる夜光花を提供する。【解決手段】  生花の表面の全体あるいは一部を蓄光剤入りスプレーにてコーティングしてなることを特徴とする夜光花。【選択図】図１
0003128920.tif 000002
【実用新案登録請求の範囲】
【請求項１】
生花の表面の全体あるいは一部を蓄光剤入りスプレーにてコーティングしてなることを特徴とする夜光花。
【請求項２】
生花に水のかわりに保湿剤を入れ腐敗を防止してなる保存花の表面の全体あるいは一部を蓄光剤入りスプレーにてコーティングしてなることを特徴とする夜光花。
【請求項３】
蓄光剤入りスプレーが、水溶性であることを特徴とする請求項１又は２記載の夜光花。
【考案の詳細な説明】
【技術分野】
【０００１】  本考案は、生花や保存花の表面に蓄光剤入りスプレーにてコーティングしてなる夜光花に関するものである。
【背景技術】
【０００２】  従来技術として、装飾性を加えた造花を基材とし、第一層に蓄光剤をコーティングし、さらに第二層に光触媒である酸化チタン等をコーティングする。第一層と第二層の間に、中間層として無機材料、ポリシロキサン樹脂またはフッ素樹脂をコーティングするものがある。（特許文献１参照）
【特許文献１】  特開２００６−３７３０５号公報
【考案の開示】
【考案が解決しようとする課題】
【０００３】  上記の従来技術は、抗菌、防汚、消臭、浄水、空気浄化機能を有する光触媒と、暗所において発光する機能を有する蓄光剤との相乗効果により、両機能を最大限に活かした装飾性の高い造花を提供することを目的とするものであり、他にも造花に蓄光剤入りスプレーにて夜光花にしてなるものがある。【０００４】  しかしながら、すべて造花（樹脂製、布製、紙製、ドライフラワー等）であり、生花や保存花に蓄光剤入りスプレーにて夜光花にしたものはなく、また、花びら等の腐敗や劣化を防止する作用結果を有していない。【０００５】  本考案は、このような従来の構成が有していた問題を解決しようとするもので、生花や保存花の表面を蓄光剤入りスプレーにてコーティングすることにより、昼間や蛍光灯等の下では花そのものを見て楽しむことができると共に、夜間電燈を消した後は、蓄光剤が発光し、幻想的な生花（保存花）を表現できるもので、昼と夜２度楽しむことができると共に、水分の蒸発を抑えることにより生花を長持ちさせることができ、保存花においては花を傷めることなく飾ることができる夜光花を提供することを目的とする。
【課題を解決するための手段】
【０００６】  本考案は、上記目的を達成するために、生花の表面の全体あるいは一部を蓄光剤入りスプレーにてコーティングしてなる。
また、生花に水のかわりに保湿剤を入れ腐敗を防止してなる保存花の表面の全体あるいは一部を蓄光剤入りスプレーにてコーティングしてなる。
さらに、蓄光剤入りスプレーが、水溶性であることを特徴とする。
【考案の効果】
【０００７】１）、生花の表面の全体あるいは一部を蓄光剤入りスプレーにてコーティングすることにより、特に水溶性の蓄光剤入りスプレーを使用することにより、その成分であるアクリル系樹脂により水分の蒸発を抑え、長時間（スプレーしない生花と比較し、２〜４倍長持ちする）生花を楽しむことができ、かつ、蓄光剤により、夜間緑色・青色・紫色等の夜光を楽しむことができる。
２）、同様に保存花の表面の全体あるいは一部を蓄光剤入りスプレーにてコーティングすることにより、特に花を傷めることなく、昼夜楽しむことができると共に、結婚式のキャンドルサービス等の装飾花として参加者の目を引くと共に、長期使用できるため、何度でも使用できるものである。
３）、水溶性の蓄光剤入りスプレーを使用することにより、油性のスプレーと違い有機溶剤を多く使用していないため、生花（保存花）にダメージを与えず、長持ちするものである。
【考案の実施するための最良の形態】
【０００８】  まず、第１実施例の夜光花１は、生花Ｓ（例えばバラ、カーネーション、マーガレット等）の花部Ｓ１に、水溶性の蓄光剤入りスプレーにて蓄光剤Ｔを吹き付け、花部Ｓ１の全体あるいは一部をコーティングしたものである。
【０００９】  なお、水溶性の蓄光剤入りスプレーの成分としては、例としてアクリル系樹脂、蓄光剤（緑色、青色、紫色等）、分散剤、溶媒（イオン交換水等）、噴射剤（ＤＭＥ）などが望ましいが、水溶性樹脂としてアルキド樹脂、アミノ樹脂、エポキシエステル樹脂なども使用可能である。
また、製品形態として、エアゾールスプレーが望ましいが、ポンプ式スプレー、機械装置によるスプレーも考えられる。
【００１０】  この夜光花１は、日中は通常の生花として楽しんでいただき、夜は夜光の生花として楽しめるものである。
【００１１】  つぎに、第２実施例の夜光花２１は、保存花Ｈ（通常、ブリーザーブドフラワー・ブリザートフラワー・プリザーブドフラワーといわれている生花の状態に近い状態で保持するもので、１０年以上枯れないとされ、水分のかわりに保湿剤を花の中に入れ腐敗を防止してなるもので、バラやカーネーションの花部等いろいろ加工されてなるものである。）を例えばリースに加工したものに同様に水溶性の蓄光剤入りスプレーにて蓄光剤Ｔ１を吹き付け、コーティングするもので、結婚式等のイベントに何度でも使用でき、長期に使用できるものである。
【００１２】  上記各実施例において、生花及び保存花の種類は特に限定するものではないが、蓄光剤は白色系であり、白色系の生花（保存花）がより有効であるが、特に限定するものではない。
なお、特に生花において長時間使用後、ドライフラワーになった状態でも、夜間発光することができ、長期に楽しめるものである。
【図面の簡単な説明】
【００１３】
【図１】  本考案の第１実施例を示す夜光花の正面図である。
【図２】  本考案の第２実施例を示す夜光花の正面図である。
【符号の説明】
【００１４】  １−−−夜光花
Ｓ−−−生花
Ｓ１−−花部
Ｈ−−−保存花
Ｔ１−−蓄光剤
【図１】
0003128920.tif 000003
【図２】
0003128920.tif 000004
(57)【要約】【課題】財布をズボンのポケットに入れて座席で立ち座りを行った場合，財布がポケットから押し出されて滑り落ちることを防止するとともに，抜き取りによる盗難を防止する。【解決手段】ロック機構を備えた適切な長さのジョイント材が連結されたホルダーを，財布の折り返し部に挿入してポケットに装着するとともに，ロツク機構をポケットの入口縁部に繋ぐことにより，財布の滑り落ち，抜き取りによる盗難を防止する財布キーパー。【選択図】図１
0003128919.tif 000002
【実用新案登録請求の範囲】
【請求項１】
ロック機構を備えるジョイント材を連結したホルダーを財布の折り返し部に挿入して，ポケットに装着するとともに，該ロック機構をポケットの入口縁部に繋ぐことにより，ポケットからの財布の滑り落ち，ならびに抜き取りによる盗難を防ぐことが出来る，着脱自在，かつ小型，低価格な財布キーパー。
【考案の詳細な説明】
【技術分野】
【０００１】本考案は，財布の滑り落ちによる紛失や，抜き取りによる盗難を防止するためのホルダー，ならびにロック機構を備えるジョイント材で構成される財布キーパーに関する。
【背景技術】
【０００２】財布をポケットに入れた場合，立ち上がり，座り時などにおいて，財布が押し出されて滑り落ちて紛失することが有るとともに，抜き取りによる盗難の危険も有る。これらの問題を解決するために，財布にチェーンを取り付けて固定する方法や，財布をポケットの入口縁部に挟んで装着する方法などが種々提案されているが，チェーンを取り付ける方法では，紛失は防げるが滑り落ちは防げない。また，財布を挟む方法では，構造が複雑になるとともに，財布に傷がつく危険も有るなど種々の問題を有している。
【考案が解決しようとする課題】
【０００３】財布をズボンのポケットに入れて立ち座りを行った場合に，財布がポケットから押し出されて滑り落ちることを防止するとともに，抜き取りによる盗難を防ぐことを目的として，財布は一切加工せず，財布の操作性に優れ，長財布や二つ折りの財布など多様な財布にも適用可能であるとともに，着脱自在で小型，低価格な財布キーパーを提案する。
【課題を解決するための手段】
【０００４】ロック機構を備え，適切な長さのジョイント材が連結されたホルダーを，財布の折り返し部に挿入してポケットに装着するとともに，ロック機構をポケットの入口縁部に繋ぐことによって，ポケットに入れた財布はホルダーならびにジョイント材によって滑りを抑止され，立ち座りによるポケットからの滑り落ちが防がれるとともに，抜き取りによる盗難が防がれる。
【考案の効果】
【０００５】財布を一切加工せず，財布の折り返し部にホルダーを挿入し，ホルダーに結合されるジョイント材のロツク機構をズボンの入口縁部に繋ぐことによって，ホルダーならびに財布はジョイント材の長さで制限され，ポケットからの滑り落ちが規制される。従って，ジョイント材の長さを適切に設定することによって，ズボンのポケットに入れられた財布は立ち座りでポケットから押し出されての滑り落ちが防がれるとともに，抜き取りによる盗難も防がれる，とともに財布の操作性に優れ，多様な財布にも適用可能で，着脱自在，小型，低価格な財布キーパーが実現する。
【考案を実施するための最良の形態】
【０００６】図１は財布１の折り返し部２に財布キーパーを挿入した状態を示す概念図であり，ジョイント材４のロック機構５はポケットの入口縁部に繋がれる。【０００７】図２は財布キーパーを示す概観斜視図である。ホルダーは樹脂材で中空，棒状に形成され，中空部にはジョイント材の余長部分が収納される。ポケットの深さや財布のサイズは多様なため，ジョイント材４のホルダーとの距離は適切に設定される必要があるため，長さ調節が可能な構造とされる。本実施例では，ジョイント材はキャップ７とホルダー３の中空の壁面との間で挟まれ，押し圧で所定の長さに設定される構造としている。【０００８】所定の長さに固定されたジョイント材は，ロック機構によりポケットの入口縁部に繋がれることにより，ホルダー３ならびに財布１は設定されたジョイント材の長さ以上にはポケットから押し出されることは無い。ロック機構５はポケットの入口縁部をバネで挟み込み固定する構造である。【０００９】ストッパー６はホルダーが財布の折り返し部から大きく離れないように規制する目的，ならびに財布が滑り出た場合に財布の折り返し部上面で財布を止める目的を有しており，財布を直接止め具で繋ぐ方法とは違って，財布に傷がつかない特徴がある。【００１０】以上説明するように，財布は一切加工せず，ホルダーを財布の折り返し部に挿入し，ジョイント材のロック機構でズボンの入口縁部に繋ぐだけで，財布の滑り落ちや抜き取りによる盗難を防止することが出来，長財布にも，折り返し財布にも適用可能で，着脱自在な小型，低価格な財布キーパーであるとともに，ペンのような形状のため携帯にも便利な特徴も有している。
【実施例】
【００１１】ホルダー３はプラスチックで構成し，外径は５ｍｍ，中空部の径は３ｍｍ，長さは１００ｍｍとした。ホルダーの表面は摩擦抵抗を高めるための各種処理は有効である。ジョイント材は２ｍｍ径のビニール線材を使用し，長さは８０ｍｍとしたが，線材ではなく鎖材でも良い。ジョイント材のホルダーへの連結構造は合成ゴムのキャップ構造としたが，ネジ構造としたり，バネ材で固定するなど種々の方法が考えられる。ストッパー６はプラスチックを使用し，厚みは３ｍｍ，長さは６０ｍｍとした。ホルダー，ストッパー，ジョイント材，キャップなどの材質や各種のディメンジョンに関しては，金属，塩化ビニール，合成ゴムなどか使用可能であり，材質が変わればディメンジョンも変わる。なお，ジョイント材の余長部が外部に有っても良ければ，ホルダーは中空構造の必要は無く，単なる棒状，板状，または線状でも良いなど，本考案の趣旨を逸脱しない範囲であれば種々変形実施が可能である。
【図面の簡単な説明】
【００１２】
【図１】財布の折り返し部に財布キーパーを挿入した状況を示す概略図を示す。
【図２】財布キーパーの概観斜視図を示す。
【符号の説明】
１  財布
２  財布の折り返し部
３  ホルダー
４  ジョイント材
５  ロック機構
６  ストッパー
７  キャップ
【図１】
0003128919.tif 000003
【図２】
0003128919.tif 000004
(57)【要約】      （修正有）【課題】本考案は、ジョギング、お買物時に貴重品をポケット代わりに収納できる。バンド付収納袋の提供。【解決手段】バンド付収納袋にすることにより、両手が自由に使え、ピッタリサイズの中側ポケットを作ることにより、中身がバラバラにならず、開口部が密閉できる構造になっているので、収納した貴重品は肌身はなさず持ち歩くことができる。ウエストのウエストの周りがバンドでウエストサイズを自由に調整できる。しわになりにくくファッション性を追求する人にとって、抵抗なく身体に着けられる。【選択図】図２
0003128912.tif 000002
【実用新案登録請求の範囲】
【請求項１】
（イ）本考案は、ジョギング、お買物時に貴重品をポケット代わりに収納できる。バンド付収納袋である。
（ロ）収納袋の中側に用途に合せたピッタリサイズのポケットがあり、ボアテープで閉め、その上からファスナーで二重に閉めるので、開口部が密閉できる構造となっている。
（ハ）折りたたみ傘、ペットボトル、眼鏡は、外側の収納袋へ、健康保険証、診察券、カード類等は、ピッタリサイズの中側ポケットに入れ、小銭のように頻繁に利用する貴重品は小型収納袋へ、鍵、携帯電話はスナップに引っ掛けてから収納袋へ入れる。
（ニ）貴重品は、肌身に付けた安心感が得られ、ファッション性にも富んでいる。
以上（イ）、（ロ）、（ハ）、（ニ）の構造から成るバンド付収納袋
【考案の詳細な説明】
【技術分野】
【０００１】    本考案は、ジョギング、お買物時に貴重品をポケット代わりに収納できる。バンド付収納袋である。
収納袋の中側に用途に合せたピッタリサイズのポケットがあり、ボアテープで閉め、その上からファスナーで二重に閉めるので、開口部が密閉できる構造となっている。
折りたたみ傘、ペットボトル、眼鏡は、外側の収納袋へ、健康保険証、診察券、カード類等は、ピッタリサイズの中側ポケットに入れ、小銭のように頻繁に利用する貴重品は小型収納袋へ、鍵、携帯電話はスナップに引っ掛けてから収納袋へ入れる。
貴重品は、肌身に付けた安心感が得られ、ファッション性にも富んでいる。
【背景技術】
【０００２】    バックを持っていると両手が自由に使えない。また、バックの中がバラバラになり、必要なものが取り出しにくい。
【考案の開示】
【考案を解決しようとする課題】
【０００３】    両手が使え、バックの中身がバラバラにならないように固定する。
【考案を解決するため手段】
【０００４】    本考案は、バンド付収納袋にすることにより、両手が使え、中側ポケットを作る事により、バラバラになるのが防げ、労働的負担が軽減できる。
また、用途に合せたピッタリサイズの中側ポケットに、ボアテープで閉め開口部に開閉できるファスナーをベルト方向に沿って、開口部を有し密閉できる構造となっているのが特徴である。
【考案の効果】
【０００５】    貴重品を肌身離さず持ち歩ける安心感。また、貴重品の使用頻度に応じて前側収納袋、後側収納袋として実用的に優れた効果が発揮でき、小銭やペットボトル等の出し入れも簡単にできる。
貴重品を中側ポケットに収納して、ボアテープで閉めるので大型収納袋を使用の場合は、ファスナーを開いたまま使用できる。
【考案を実施するための最良の形態】
【０００６】    大型収納袋、小型収納袋、ピッタリサイズの中側のポケットにより、用途に合せた収納ができる。ウエストのサイズをバンドで自由に調節ができ、ファッション性を追求する人にとって、抵抗なく身に付けられる。また、年齢、性別、用途に制限されることなく、広範囲の人に便利性を提供できる。
【実施例】
【０００７】    添付図面によって説明する。
１はバンド付収納袋の正面図
２はバンド付収納袋の一部切欠断面図
【産業上の利用可能性】
【０００８】    大型収納袋、小型収納袋、ピッタリサイズの中側のポケットなど、頻繁に必要とする場合でも簡単に出し入れができる。
【図面の簡単な説明】
【０００９】
【図１】本考案のバンド付収納袋の一実施例を示す正面図である。
【図２】本バンド付収納袋の一部切欠断面図である。
【符号の説明】
【００１０】  １  バンド付収納袋本体
２  ボアテープ
３  スナップかけ
４  ファスナー
５  バンド
６  収納袋内側
７  大型収納袋
【図１】
0003128912.tif 000003
【図２】
0003128912.tif 000004
(57)【要約】〔目的〕稲害虫の予防機稲の農薬減量の方法がもとめられていた〔構成〕吸水口に電動ポンプまたはガソリンポンプを持ち、出水口に殺菌燈を上部に有する容器を持つ構造の精密濾過機の稲虫害の予防機【実用新案登録請求の範囲】
【請求項１】
吸水口の端には電動ポンプ又はガソリンポンプを持ち、出水口の端には殺菌燈を持つ水容器を有する構造になった精密濾過器の稲害虫の予防機。
【考案の詳細な説明】
【０００１】      環境、衛生上に関するものである。〔従来の技術〕
【０００２】      古来米は大事な食料である。ことに東洋人にとっては命の次に貴重なものとして、大切に扱われてきた。それ故米の生産、即ち稲作には、色々と工夫がなされ、豊富で品質もよく且つ健全であるものが求められてきた。そして害虫による凶作にはさまざまな対策がとられ、すばらしい成果をあげてきたのである。
【０００３】      天然環境に強く又害虫に強い品種がもとめられ、多大の努力が払われてきて、寒さや環境に強くさらに又害虫にも強い品種が多く発見されてきている。又人に優しい色々な農薬も発見され害虫による稲の被害はほとんどないまでに、なってきているのである。〔本案が解決しようとする課題〕
【０００４】      農薬によって虫害はほとんどなく、豊作が得られてきているのであるが、ただ農薬による副作用が近年懸念されてきているのである。野菜、果物にも言われてきているのであるが、人体に及ぼす影響が少ないものが近頃特にもとめられてきているのである。そこで今ひとつ人に優しい、人体に及ぼす影響の少ないものがもとめられてきているのである。そこで公害の少ない農薬が色々工夫され、数多く用いられている状況にあるが、さらに効果があって公害の少ないものが現在模索されているのである。
【課題を解決するための手段】
【０００５】      そこで農薬の量を少しでもへらし、効果が同じようにあげられるために考えられるのは、きれいな水を用いることである。即ち公害を起こす害虫の、成虫、卵、および黴の胞子や菌糸を含まないきれいな水を用いることなのである。
【０００６】      害虫の成虫、卵、黴の菌糸や胞子は水の中にあって、諸所に流れていき、ところどころにとまって成長し害をおよぼすのである。
【０００７】  そこで害虫、黴等を含む水をきれいにして、これを田圃に供給するのである。その為に水を精密濾過機の中を通して、〔２−３μ〕きれいにしていくのである。〔５−６μ〕の胞子、細菌、等もフィルターの中に捉えられ濾過水はきれいな水となって出てくるのである。さらに出てきた水は上方殺菌燈をつけた水容器の中を通過し念には念をいれた構造で害虫予防を計るのである。
【実施例】
【０００８】    精密濾過機の吸水側は電動ポンプまたはガソリンポンプに繋ぎ精密濾過機の出水口は上方に殺菌燈をつけた水容器に繋ぐのである。電動ポンプまたはガソリンポンプの吸水口は田圃の溝の中につけ、水をくみ上げる。水はポンプの中を通りポンプの出水口にいたる。そこから繋がっている精密濾過機の入水口にいたり精密濾過機の中を通り、濾過されて出口にいたり、そこから殺菌燈を有する水容器にいたり、そこを通り、さらに連結された管を通って又田圃の中に流れ込んでいくのである。その間に害虫の成虫、卵、黴の菌糸、胞子も濾過されて、きれいな水となりさらに殺菌燈でもっときれいな水となっていくのである。そして水容器の中に溜まった水はそのまま管を経て近くに放出されるが、もっと遠くへ放出するにはさらにもう一台のポンプを用いて吸水口にはこの水容器の中へいれ、ポンプを回し出水口に長いホースを繋いで遠方にながすのであるる。
【考案の効果】
【０００９】    本考案の稲の害虫予防機を用いれば農薬の量を減らすことが出来、環境、衛生上、はなはだ有効である。構造は簡単、製造は安価、容易である。
【図面の簡単な説明】
【００１０】
【図１】斜位図
【図２】正面図
【図３】側面図
【図４】水平面図
【符号の説明】
Ａ．．．．．．．．．．．．．．．．．ポンプ吸水口Ｂ．．．．．．．．．．．．．．．．．ポンプＣ．．．．．．．．．．．．．．．．．精密濾過機Ｄ．．．．．．．．．．．．．．．．．水容器Ｅ．．．．．．．．．．．．．．．．．殺菌燈Ｆ．．．．．．．．．．．．．．．．．ポンプＧ．．．．．．．．．．．．．．．．．ポンプ排水口
【図１】
0003128453.tif 000002
【図２】
0003128453.tif 000003
【図３】
0003128453.tif 000004
【図４】
0003128453.tif 000005
(57)【要約】      （修正有）【課題】手回しロクロで陶芸作品を作る時、粘土成形を正確に出来る様にするための装置である。電動ロクロの場合、両足の膝に両手肘を乗せてささえる事が出来る。しかし、手回しロクロでは、足の膝は使えないので片手でロクロを回し、もう一方の手で粘土成形をしなければならない。その一方の手を支える装置を提供する。【解決手段】台板１に支柱２を立てホゾにて、きんけつする。その台板１を中型クランプ４でテーブルに締め付け固定する。その支柱２のダボ穴６に、腕木３のダボ７を入れ、小型クランプ５で締め付ける。完全の固定ではないので、腕木３は、作陶しながら上下に５０ｃｍほど移動出来る。そして腕木３の先端に片手をのせ支持する事により手振れを防ぎ、より正確に作陶する事が出来る。【選択図】図２
0003128454.tif 000002
【実用新案登録請求の範囲】
【請求項１】
木製の台板（１）に支柱（２）をきんけつし、その台板をテーブルに中型クランプ（４）で固定。それに腕木（３）のダボを入れ、小型クランプ（５）で締め付ける。
腕木（３）が、上下５０ｃｍほど移動出来る装置である。
【考案の詳細な説明】
【技術分野】
【０００１】この考案は、アマチュア陶芸家が、手回しロクロを使って作陶する際に手振れを防ぐ装置である。
【背景技術】
【０００２】従来、手回しロクロによる手振れを防ぐ機械装置は、特に公開されていない。
【考案の開示】
【考案が解決しようとする課題】
【０００３】従来は、片手でロクロを回し、もう一方の手で粘土成形を行っているが、片腕の力だけでは、どうしても振れが出てしまい作品が、変形しやすい。大型あるいは丈高の作品は、制作困難であった。
【課題を解決するための手段】
【０００４】そこで、本装置は作陶粘土から腕木（３）先端までの距離が短く、より手振れを小さくして正確に形成出来るようにし、作品の積み上げに順じ、片手で簡単に腕木の高さを、上下５０ｃｍほど移動出来るよう考案した。
【考案の効果】
【０００５】よって、本考案の装置により、手振れを無くし正確に真円を出すことが出来、より高さのある作陶が楽しめる。又、クランプの取りはずしで、安易に何処にでも移動が出来る事。その上、手ロクロを少し移動することで、一度固定した本装置は動かさずに、作陶が続けられる。
【考案を実施するための最良の形態】
【０００６】以下、本考案の実施の形態を説明します。
（イ）木製の台板（１）に木製の支柱（２）を立て、ホゾを入れ台板にしっかり固定する。
（ロ）その台板（１）を中型クランプ（４）で、テーブルに締め付け固定する。
（ハ）支柱（２）のダボ穴（６）に、木製腕木（３）のダボ（７）を入れ、小型クランプ（５）で締め付ける。
（二）腕木（３）は、支柱（２）に開けたダボ穴（６）を軸に、上下出来一度の締め付けで、腕木（３）の先端は５０ｃｍ程度、上下出来る。
（ホ）腕木（３）に乗せた片手は、軽く添えるだけで良いので、粘土の高さによって腕木（３）は、上下に５０ｃｍほど楽に移動出来る。
【図面の簡単な説明】
【０００７】
【図１】本考案の斜視図
【図２】本考案の要部の正面図
【図３】本考案の支柱拡大正面
【図４】本考案の腕木部のダボ拡大図
【符号の説明】
【０００８】１    台板            ２    支柱            ３    腕木
４    中型クランプ    ５    小型クランプ    ６    ダボ穴
７    ダボ
【図１】
0003128454.tif 000003
【図２】
0003128454.tif 000004
【図３】
0003128454.tif 000005
【図４】
0003128454.tif 000006
【手続補正書】
【提出日】平成18年6月13日(2006.6.13)
【手続補正１】
【補正対象書類名】実用新案登録請求の範囲
【補正対象項目名】全文
【補正方法】変更
【補正の内容】
【実用新案登録請求の範囲】
【請求項１】
（１）木製の台板とダボ穴を開けた支柱を固定し
（２）（１）をテーブルに中型クランプで締め付け
（３）支柱のダボ穴に、腕木につけたダボを入れ小型クランプで、軽く締めて
（４）腕木が、上下５０ｃｍほど移動出来るようにセットする。
以上４つの構成要件より成立する、手回しロクロを使って、粘土成形が正確に出来る装置である。
【手続補正書】
【提出日】平成18年9月25日(2006.9.25)
【手続補正１】
【補正対象書類名】実用新案登録請求の範囲
【補正対象項目名】全文
【補正方法】変更
【補正の内容】
【実用新案登録請求の範囲】
【請求項１】
（１）木製の台板とダボ穴を開けた支柱を固定し
（２）ダボ穴を開けた支柱が固定されている木製の台板を、テーブルに中型クランプで締め付け動かないようにする。
（３）支柱のダボ穴に、腕木につけたダボを入れ小型クランプで、軽く締めて
（４）腕木が、上下５０ｃｍほど移動出来るようにセットする。
以上４つの構成要件より成立する、手回しロクロを使って、粘土成形が正確に出来る装置である。
(57)【要約】      （修正有）【課題】従来のフリーギヤーを有し往復運動によって前進する車輌は、後退時アームがストッパー（上死点）に当ると車輌が停止してしまうため、それ以上後退することができなかった。【解決手段】突起を設け、チェーンの溝と歯車の歯とを離すことによりチェーンの動きは歯車に伝わらずアームの動きもフリーのなり車輌の後退が可能となる。また前進時にはアームに力を加える事により、チェーンは引張られ突起部分から外れチェーンと歯車は噛合い前進の駆動を伝える。【選択図】図３
0003128452.tif 000002
【実用新案登録請求の範囲】
【考案の詳細な説明】
【技術分野】
【０００１】  本考案は、駆動用チェーンに関する物である。
【背景技術】
【０００２】  従来往復運動によりチェーンで車輪を回転させる車輌に於いて、後退時にギヤーは逆転し、チェーンも逆転してしまう。アームはチェーンでストッパーに当るまで引き寄せられる。そこでチェーンの動きが止まりタイヤは回転を止め後退は不可能となる。（図１）
【考案の開示】
【考案が解決しようとする課題】
【０００３】  これでは車輌を後退させようとする時、車体を持ち上げタイヤを地面から離さなければならなく不便である。
【課題を解決するための手段】
【０００４】  そこで（図３）の様にチェーンに突起を設け、その突起がギヤーとの噛合いを外すことが出来る様考案した。（図５）
【考案の効果】
【０００５】  よって、往復運動で駆動する車輌に於いて、後退時タイヤがロックする事なく後退が可能となる。
【考案を実施するための最良の形態】
【０００６】  本考案に係る突起付チェーンは、（図３）の様にチェーン３の一部に８の突起プレートを複数備えることにより、その突起はギヤーとの噛合いをさせなくなる為の突起で、完全に突起部分がギャー部の肩に架かるとギヤーは空転状態となり、車輌は後退可能となる。
【産業上の利用可能性】
【０００７】  本案、突起付チェーンを往復運動により駆動する乗物において使用すると、従来不可能であった車輌の後退が可能になる。
【図面の簡単な説明】
【０００８】
【図１】  往復運動で駆動する車輌の駆動部分の構成図（通常時）である。
【図２】  往復運動で駆動する車輌の駆動部分の構成図（駆動時）である。
【図３】  本案突起付きチェーンの図である。
【図４】  フリーギヤーを有し往復運動によって前進する車輌の、ギヤーとチェーンの従来の噛合いの図である。
【図５】  フリーギヤーを有し往復運動によって前進する車輌に、本案の突起付きチェーンを取り付けた後退可能な空転状態の図である。
【符号の説明】
【０００９】１      タイヤ
２      フリーギヤー肩
３      チェーン
４      スプリング
５      アーム
６      ストッパー（上死点）
７      メインフレーム
８      突起付きプレート
９      ストッパー（下死点）
１０    フリーギヤー
【図１】
0003128452.tif 000003
【図２】
0003128452.tif 000004
【図３】
0003128452.tif 000005
【図４】
0003128452.tif 000006
【図５】
0003128452.tif 000007
【手続補正書】
【提出日】平成18年6月7日(2006.6.7)
【手続補正１】
【補正対象書類名】実用新案登録請求の範囲
【補正対象項目名】全文
【補正方法】変更
【補正の内容】
【実用新案登録請求の範囲】
【請求項１】
チェーンの一部複数枚のリンクのプレートの形状を突起付プレート８の様に凸状の形にし、その山の部分がキヤーに掛かるとチェーンはギヤーから外れ、動力が伝わらなくなり、動力伝達機構をニュートラルにすることを目的とした凸形状付チェーン。
【手続補正書】
【提出日】平成18年9月28日(2006.9.28)
【手続補正１】
【補正対象書類名】実用新案登録請求の範囲
【補正対象項目名】全文
【補正方法】変更
【補正の内容】
【実用新案登録請求の範囲】
【請求項１】
チェーンのリンク部分に凸突起を設け、その大きさはその突起がフリーギヤーの肩に掛った時チェーンリンクがフリーギヤーの歯の高さを超え、チェーンとギヤーとが噛合わない様にし、駆動力が伝わらない様に空回りさせることにより、往復運動によりチェーンで車輪を回転させる車輌での後退を可能にしたチェーン。
(57)【要約】      （修正有）【課題】本考案は本を読む時にはっきする。【解決手段】本考案ははば平なのを使う、このゴム製のしおりはのびちぢみが可能でよういに使い安い色々と細々と便利する  これまで使ってみて大きく利便になった、今までも沢山不都合が出たように思う  ゴム製のしおりを考案して使って、り便になったのはゴム（ポリエステル入り）製でありのびたりちぢんだり元にもどるし輪に使ってあるしおり以外にも使える。【選択図】図１
0003128451.tif 000002
【実用新案登録請求の範囲】
【請求項１】
ゴム製のしおりポリ入り糸を輪にしたもの
【考案の詳細な説明】
【技術分野】
【０００１】しおりに関するものである
【背景技術】
【０００２】これまで使ってきたしおりでは不都合が沢山でていたように思う
【考案の開示】
革ゴム制（ポリウレタン入）を作って大変便利であり輪に作ってあるのでしおり以外でも使える
【考案が解決しようとする課題】
【０００３】不快差を解決する
【課題を解決するための手段】
【０００４】ゴムを使うこと
【考案の効果】
【０００５】本を読むのが便利になった
【考案を実施するための最良の形態】
【０００６】ゴムのしおり
【実施例】
【０００７】平うちゴムを使ったこと
【産業上の利用可能性】
【０００８】本を２冊使う時に便利
【図面の簡単な説明】
【０００９】たてとよこにした  長さ４５．５ｃｍ  高さ１．３ｃｍ（実物）
【図面の簡単な説明】
【図１】は横から見た図
【図２】は上から見た図
【符号の説明】
１  しおり
２  ゴムの部分
【図１】
0003128451.tif 000003
【図２】
0003128451.tif 000004
【手続補正書】
【提出日】平成18年2月16日(2006.2.16)
【手続補正１】
【補正対象書類名】実用新案登録請求の範囲
【補正対象項目名】全文
【補正方法】変更
【補正の内容】
【実用新案登録請求の範囲】
【請求項１】
ポリウレタン加工したゴムを使って輪にしたものであり  しおりである
イ、長くのびる
ロ、図面は実物大
ハ、丸くたてかけられる
ニ、ポリウレタン入糸をわにしたゴム製のしおり
【手続補正書】
【提出日】平成18年2月20日(2006.2.20)
【手続補正１】
【補正対象書類名】実用新案登録請求の範囲
【補正対象項目名】全文
【補正方法】変更
【補正の内容】
【実用新案登録請求の範囲】
【請求項１】
〔図１〕
・長くのびます
・ふつうの長さ（実寸大）
・丸く立てかけられる
・長形のしおり
・ポリウレタン入り糸を輪にしたゴム製のしおり
0003128451.tif 000005
【手続補正書】
【提出日】平成18年9月25日(2006.9.25)
【手続補正１】
【補正対象書類名】実用新案登録請求の範囲
【補正対象項目名】全文
【補正方法】変更
【補正の内容】
【実用新案登録請求の範囲】
【請求項１】
ポリウレタン入り糸を輪にしたゴム製のしおり
(57)【要約】      （修正有）【課題】現在一般に使われているデスクトップ型パソコンは、周辺装置にたいする電源供給を制御する仕掛けがない。そのため、モニタ装置、外付ＨＤＤ装置、プリンター等のパソコン周辺装置の電源の「接・断」は、パソコンを「起動」及び「終了」するたびに手動で操作しなければならない。【解決手段】これらの不便さを解消しようと思い自動的に周辺機器の電源を「接・断」できないか検討の結果、ＵＳＢ端子の５ボルト電圧がパソコン休止状態には０ボルトになることを利用し、リレーを動作させＡＣ電源を「接・断」することにした。パソコン起動時及び終了時の煩雑さを解消しパソコンの円滑な運用を可能にするとともに切り忘れ防止にもなり、省エネルギー化にもつながる。【選択図】図１
0003128460.tif 000002
【実用新案登録請求の範囲】
【請求項１】
本考案は、パソコン周辺機器のＡＣ電源をパソコン本体の操作に合わせて自動的に「接・断」させるために開発したもので、ＵＳＢの電圧を監視しリレーによりＡＣ電源を制御するパソコン周辺機器用自動電源制御器。
【考案の詳細な説明】
【技術分野】
【０００１】  本考案は、パソコン周辺機器の円滑な運用をはかるための機器に関するものである。
【背景技術】
【０００２】  モニタ、外付ＨＤＤ、プリンタ等のパソコン周辺機器の電源の「接・断」は、パソコンを「起動」及び「終了」するときに手動で操作しなければならないが入れ忘れや切り忘れをすることが時々ある。
このため自動的に周辺機器のＡＣ電源を「接・断」できないか検討の結果、ＵＳＢ端子の電圧がパソコン休止状態には０ボルトになることを利用し、リレーを動作させＡＣ電源を「接・断」することにした。
【考案の開示】
【考案が解決しようとする課題】
【０００３】  パソコン起動時及び終了時の煩雑さを解消しパソコンの円滑な運用を可能にするとともに切り忘れ防止をするものである。
【課題を解決するための手段】  本考案は、ＵＳＢ端子、リレーを組み合わせることによりＡＣ電源を「接・断」することが最も主要な特徴とする。
【考案の効果】
【０００４】  本考案のパソコン周辺機器用自動電源制御器は、パソコンの操作だけで周辺機器の電源を「接・断」できるので煩雑さを解消し、パソコン操作に集中できる点が利点である。
【実施例】
【０００５】  図１は、本考機器の回路構成図であって、図２〜図５は実装図である。
【考案を実施するための最良の形態】  ＡＣコンセント等の内部にリレーを収容し、小型化をすることにより、更に使いやすくなる。
【産業上の利用可能性】
【０００６】  ＵＳＢ端子保有の全てのパソコンに取り付け可能であるため、常時運用のパソコン以外でパソコン操作の円滑化及び省エネルギー効果が期待できる。
【図面の簡単な説明】
【０００７】
【図１】  「回路構成図」を示したものである。１  パソコン起動時にＵＳＢ電圧が発生することによりリレーが動作しＡＣ電源が投入される。２  パソコン終了時にＵＳＢ電圧が無くなることによりリレーが復旧しＡＣ電源が遮断される。
0003128460.tif 000003
【図１】
0003128460.tif 000004
【図２】
0003128460.tif 000005
【図３】
0003128460.tif 000006
【図４】
0003128460.tif 000007
【手続補正書】
【提出日】平成18年7月9日(2006.7.9)
【手続補正１】
【補正対象書類名】実用新案登録請求の範囲
【補正対象項目名】全文
【補正方法】変更
【補正の内容】
【実用新案登録請求の範囲】
【請求項１】
本考案は、パソコン周辺機器のＡＣ電源をパソコン本体の操作に合わせて自動的に「接・断」させるために開発したものである。
ＵＳＢのＶＣＣ電圧（＋５ＶＤＣ）とＧＮＤ（±０ＶＤＣ）間にＤＣ−５Ｖ用リレーを挿入し、リレーのメーク接点（動作時「接」）をＡＣ電源回路に直列に挿入することにより、パソコン起動時にＡＣ電源「接」、パソコン終了時にＡＣ電源「断」の自動制御をさせる機能を有するパソコン周辺機器用自動電源制御器。
【手続補正２】
【補正対象書類名】明細書
【補正対象項目名】０００７
【補正方法】変更
【補正の内容】
【０００７】
【図１】「回路構成図」を示したものである。  １  パソコン起動時にＵＳＢの１番端子（ＶＣＣ電圧）と４番端子（ＧＮＤレベル）間に５ＶＤＣの電圧が発生することによりリレーが動作しＡＣ電源が投入される。  ２  パソコン終了時にＵＳＢ電圧がなくなることによりリレーが復旧しＡＣ電源が遮断される。
【図２】「実装予想図１」を示したものある。  １口用ＡＣコンセント内に小型リレーを挿入し、ＵＳＢ電圧によりＡＣコンセントの「接・断」を制御する。
【図３】「実装予想図２」を示したものある。  ＡＣタップ内に小型リレーを挿入し、ＵＳＢ電圧によりＡＣタップの「接・断」を制御する。
【図４】「実装予想図３」を示したものある。  テーブルタップ内にリレーを挿入し、ＵＳＢ電圧によりテーブルタップの「接・断」を制御する。
【手続補正書】
【提出日】平成18年10月3日(2006.10.3)
【手続補正１】
【補正対象書類名】実用新案登録請求の範囲
【補正対象項目名】全文
【補正方法】変更
【補正の内容】
【実用新案登録請求の範囲】
【請求項１】
本考案は、パソコン周辺機器のＡＣ電源をパソコン本体の操作に合わせて自動的に「接」「断」させるため、ＵＳＢのＶＣＣ電圧とＧＮＤ間にＤＣリレーを挿入し、リレーの接点をＡＣ電源回路に直列に挿入することにより、パソコン起動時にＡＣ電源を「接」パソコン終了時に「断」の自動制御をさせる機能を有するパソコン周辺機器用自動電源制御器。
(57)【要約】【課題】これまでのテレビは画面のチャンネルを知るために、いちいち画面表示を利用しなければならなかた。【解決手段】該当するチャンネルボタンが光るか、光る枠に囲まれているためチャンネルがひと目で解かるようになった。【選択図】図１
0003128463.tif 000002
【実用新案登録請求の範囲】
【請求項１】
チャンネルを示すボタンが光るか、又は点や数字が光る。
【請求項２】
チャンネルを示すボタンの周囲を光る枠で囲む。
【考案の詳細な説明】
【技術分野】
【０００１】本考案は、リモコンのチャンネルボタンに関する。
【背景技術】
【０００２】これまでのテレビ画面は電源を入れたときと、切り換えたとき以外のチャンネルが不明であった。
【考案の開示】
【考案が解決しようとする課題】
【０００３】チャンネルを知るため、画面表示を押す動作が必要であった。
【課題を解決するための手段】
【０００４】該当するチャンネルボタンや周囲が光るようにした。
【考案の効果】
【０００５】リモコンを見るだけでチャンネルが確認できるようになった。
【考案を実施するための最良の型態】
【０００６】チャンネルを示すボタンの全体の数字が光り、又は丸や三角四角等の光る枠でボタンを囲んだ。
【図面の簡単な説明】
【０００７】本考案による光るチャンネルボタンを示したものである。
【符号の説明】
【０００８】１  リモコン
２  電源ボタン
３  画面表示ボタン
４  全体か数字が光るボタン
５  ボタンの上部が点で光る
６  全体が光る枠で囲まれたボタン
【図１】
0003128463.tif 000003
【手続補正書】
【提出日】平成18年8月7日(2006.8.7)
【手続補正１】
【補正対象書類名】実用新案登録請求の範囲
【補正対象項目名】全文
【補正方法】変更
【補正の内容】
【実用新案登録請求の範囲】
【請求項１】
リモコンのチヤンネルを示すボタンが光るか、チヤンネルを示す目印に、ボタンの上に丸などの光る点をつけ、又はリモコンのチヤンネルを示すボタンの数字が光る。
【請求項２】
リモコンのチヤンネルを示すボタンの周囲を丸や、三角四角などの光る枠で囲むようにする。
【手続補正書】
【提出日】平成18年10月10日(2006.10.10)
【手続補正１】
【補正対象書類名】実用新案登録請求の範囲
【補正対象項目名】全文
【補正方法】変更
【補正の内容】
【実用新案登録請求の範囲】
【請求項１】
リモコンのチャンネルを示すボタンが光るか、チャンネルを示す目印として、ボタンの上に丸などの光る点をつけ、又はチャンネルを示すボタンの数字が光るなどチャンネルボタンが光る構造を有するリモコン。
【請求項２】
リモコンのチャンネルを示すボタンの周囲を、丸や三角四角等の光る枠で囲むなど、チャンネルのボタンが光る形状を有するリモコン。
(57)【要約】      （修正有）【課題】自転車やバイクの運転時にハンドルを握るが、従来の手袋は、雨天用には作られていなかった。また、素手で運転するときも雨天用カバーはなかった。【解決手段】雨や風を通さない塩化ビニールにマジックテープ（登録商標）を取り付けることで、手だけの雨合羽の役割を果たす。【選択図】図１
0003128465.tif 000002
【実用新案登録請求の範囲】
【請求項１】
人の手より大きめの四角い塩化ビニールに２ケ所にマジックテープを付けた手袋と素手のカバー
【考案の詳細な説明】
【技術分野】
【０００１】この発明は、人の手より大きめの四角い塩化ビニールの２ケ所部分にマジックテープを付けた簡易なカバーであり、手袋と素手のカバーに関するものである。
【背景技術】
【０００２】自転車やバイクの運転時にハンドルを握るが、従来の手袋は、雨天用には作られていなかった。また、素手で運転するときも雨天用カバーはなかった。
【考案の開示】
【考案が解決しようとする課題】
【０００３】雨の日の自転車やバイクの運転時は、手には雨合羽を付けるものがない。
また、寒い日の時は手袋着用をするが、同時に雨天時に手袋が濡れないようにカバーするものがなかった。
よって、手が冷たくなり手袋は濡れてしまっていた。
本発明は、以上のような欠点をなくすためになされたものである。
【課題を解決するための手段】
【０００４】人の手より大きめの四角い塩化ビニールの２ケ所の部分にマジックテープを取り付ける。
以上の構成よりなる自転車・バイク運転時にハンドルを握る手の防寒・雨天時に使用するカバーである。
【考案の効果】
【０００５】完全な防寒用等でないが、短時間に運転する時の手が冷たくなることや手袋が濡れていたのが、かなり緩和できる。
薄い塩化ビニールとマジックテープなので、折り曲げることができ、小さくなり持ち運びが容易であるため、バックに常に入れておけば緊急時に着用できる。
【考案を実施するための最良の形態】
【０００６】以下の発明に説明を行う。
▲１▼塩化ビニール上部１／３のところの両端と▲２▼手首の部分の両端にマジックテープを縫い合わせる。
▲１▼は指が掛かりなお且つハンドルが握られブレーキも操作することができる位置に付ける。
▲２▼は、カバーが安定するように付ける。
【図面の簡単な説明】
【０００７】
【図１】本発明の表・裏である。
【図２】本発明のハンドルを握った時の横からみたところである。
【符号の説明】
【０００８】１  塩化ビニール
２  マジックテープ
【図１】
0003128465.tif 000003
【図２】
0003128465.tif 000004
【手続補正書】
【提出日】平成18年9月27日(2006.9.27)
【手続補正１】
【補正対象書類名】実用新案登録請求の範囲
【補正対象項目名】全文
【補正方法】変更
【補正の内容】
【実用新案登録請求の範囲】
【請求項１】
人の手より大きめの四角い塩化ビニールに２ケ所に取り付ける面ファスナーを付けた手袋と素手のカバー
【手続補正２】
【補正対象書類名】明細書
【補正対象項目名】全文
【補正方法】変更
【補正の内容】
【考案の詳細な説明】
【技術分野】
【０００１】この考案は、人の手より大きめの四角い塩化ビニールの２ケ所部分に面ファスナーを付けた簡易なカバーであり、手袋と素手のカバーに関するものである。
【背景技術】
【０００２】自転車やバイクの運転時にハンドルを握るが、従来の手袋は、雨天用には作られていなかった。また、素手で運転するときも雨天用カバーはなかった。
【考案の開示】
【考案が解決しようとする課題】
【０００３】雨の日の自転車やバイクの運転時は、手には雨合羽をつけるものがない。
また、寒い日の時は手袋を着用するが、同時に雨天時に手袋が濡れないようにカバーするものがなかった。
よって、手が冷たくなり手袋は濡れてしまっていた。
本考案は、以上のような欠点をなくすためになされたものである。
【課題を解決するための手段】
【０００４】人の手より大きめの四角い塩化ビニールの２ケ所の部分に面ファスナーを取り付ける。
以上の構成よりなる自転車・バイク運転時にハンドルを握る手の防寒・雨天時に使用する防水カバーである。
【考案の効果】
【０００５】完全な防寒用等でないが、短時間に運転する時の手が冷たくなることや手袋が濡れていたのが、かなり緩和できる。
薄い塩化ビニールと面ファスナーなので、折り曲げることができ、小さくなり持ち運びが容易であるため、バッグに常に入れておけば緊急時に着用できる。
【考案を実施するための最良の形態】
【０００６】以下の考案に説明を行う。
▲１▼塩化ビニール上部１／３のところの両端と▲２▼手首の部分の両端に面ファスナーを縫い合わせる。
▲１▼は指が掛かりなお且つハンドルが握られブレーキも操作することがきる位置に付ける。
▲２▼は、カバーが安定するように付ける。
【図面の簡単な説明】
【０００７】
【図１】本考案の表・裏である。
【図２】本考案のハンドルを握った時の横からみたところである。
【符号の説明】
【０００８】１  塩化ビニール
２  面ファスナー